(57)【要約】      （修正有）【課題】簡単に筆記具に着脱可能な筆記具用装飾品及びこれを用いた筆記具を提供する。【解決手段】筆記具用装飾品１は、筆記具に取り付けられる装飾品であって、装飾品本体部と、該本体部を筆記具２に接続するための筆記具接続部１１とからなり、筆記具接続部は磁石で構成される。また装飾品接続部２１は、筆記具本体に取り付けられる装飾品１と接続するためのものであって、磁石で構成される。【選択図】図３
0003139047.tif 000002
【実用新案登録請求の範囲】
【請求項１】
筆記具に取り付けられる装飾品であって、装飾品本体部と、該本体部を筆記具に接続するための筆記具接続部とからなり、少なくとも前記筆記具接続部は磁石で構成されていることを特徴とする筆記具用装飾品。
【請求項２】
前記筆記具接続部は円盤状磁石で構成されることを特徴とする請求項1に記載の筆記具用装飾品。
【請求項３】
前記筆記具接続部はリング状磁石で構成されることを特徴とする請求項1に記載の筆記具用装飾品。
【請求項４】
筆記具本体に、該筆記具本体に取り付けられる装飾品と接続するための装飾品接続部を設けてなる筆記具であって、前記装飾品接続部は磁石で構成されていることを特徴とする筆記具。
【請求項５】
前記装飾品接続部は円盤状磁石で構成されることを特徴とする請求項４に記載の筆記具。
【請求項６】
前記装飾品接続部はリング状磁石で構成されることを特徴とする請求項４に記載の筆記具。
【請求項７】
筆記具本体と、筆記具本体に取り付けられる装飾品とを備える筆記具であって、前記装飾品は装飾品本体部と、該本体部を筆記具に接続するための筆記具接続部とからなり、前記筆記具本体には、前記筆記具接続部と接続するための装飾品接続部が設けられ、前記筆記具接続部及び前記装飾品接続部の少なくともいずれかは磁石で構成されることを特徴とする筆記具。
【請求項８】
前記筆記具接続部及び前記装飾品接続部の少なくともいずれかは円盤状磁石で構成されることを特徴とする請求項７に記載の筆記具。
【請求項９】
前記筆記具接続部及び前記装飾品接続部の少なくともいずれかはリング状磁石で構成されることを特徴とする請求項７に記載の筆記具。
【考案の詳細な説明】
【技術分野】
【０００１】
本考案は、筆記具に取り付けられる装飾品及びこれを用いる筆記具に関するものであり
、更に詳しくは筆記具に簡単に取り付けたり取り外したりすることができ、かつ筆記具
用装飾品の交換も可能である筆記具用装飾品及びこれを用いた筆記具に関するものであ
る。
【背景技術】
【０００２】
従来、ペンやポールペン等筆記具に取り付けられるマスコットような筆記具用装飾品としては、筆記具の端部に接着剤等により固着されるもの、嵌合によるもの、ねじ込み式によるもの、及びチェーンや紐等で筆記具に接続されるものが知られている（特許文献１、特許文献２、特許文献３参照）。
【特許文献１】特開平２００４−２３０６６９（実用新案登録請求の範囲、図１）
【特許文献２】特開平２００６−１８７３５５（実用新案登録請求の範囲、図１）
【特許文献３】特開平２００６−１２３４８９（実用新案登録請求の範囲、図２）
【考案の開示】
【考案が解決しようとする課題】
【０００３】
しかしながら、このような装飾品において、接着剤等により固着された筆記具は、筆記具から装飾品を簡単に取り外すことができないので、装飾品の交換が不可能であったり、またチェーンや紐等で筆記具に接続されるものは交換が面倒であったり、外れてしまうことがあるという欠点がある。
【０００４】
また、このような装飾品、特に、筆記具の端部に固着される装飾品には、筆記具自体が利用済となると、筆記具と共に捨てられてしまい、再利用することができないという欠点がある。
【０００５】
本考案が解決しようとする課題は、簡単に筆記具に着脱可能でありかつ交換可能な筆記具用装飾品及びこれを用いた筆記具を提供することにある。
【課題を解決するための手段】
【０００６】
前記本考案が解決しようとする課題は、以下の各考案によって達成される。
（１）筆記具に取り付けられる装飾品であって、装飾品本体部と、該本体部を筆記具に接続するための筆記具接続部とからなり、少なくとも前記筆記具接続部は磁石で構成されていることを特徴とする筆記具用装飾品。
【０００７】
（２）前記筆記具接続部は円盤状磁石で構成されることを特徴とする前記第１項に記載の筆記具用装飾品。
（３）前記筆記具接続部はリング状磁石で構成されることを特徴とする前記第１項に記載の筆記具用装飾品。
【０００８】
（４）筆記具本体に、該筆記具本体に取り付けられる装飾品と接続するための装飾品接続部を設けてなる筆記具であって、前記装飾品接続部は磁石で構成されていることを特徴とする筆記具。
（５）前記装飾品接続部は円盤状磁石で構成されることを特徴とする前記第４項に記載の筆記具。
（６）前記装飾品接続部はリング状磁石で構成されることを特徴とする前記第４項に記載の筆記具。
【０００９】
（７）筆記具本体と、筆記具本体に取り付けられる装飾品とを備える筆記具であって、前記装飾品は装飾品本体部と、該本体部を筆記具に接続するための筆記具接続部とからなり、前記筆記具本体には、前記筆記具接続部と接続するための装飾品接続部が設けられ、前記筆記具接続部及び前記装飾品接続部の少なくともいずれかは磁石で構成されることを特徴とする筆記具。
【００１０】
（８）前記筆記具接続部及び前記装飾品接続部の少なくともいずれかは円盤状磁石で構成されることを特徴とする前記第７項に記載の筆記具。
（９）前記筆記具接続部及び前記装飾品接続部の少なくともいずれかはリング状磁石で構成されることを特徴とする前記第７項に記載の筆記具。
【考案の効果】
【００１１】
本考案によれば、筆記具に取り付けられる装飾品であって、装飾品本体部と、該本体部を筆記具に接続するための筆記具接続部とからなり、少なくとも前記筆記具接続部は磁石で構成されていることにより、筆記具用装飾品は、その磁石の筆記具接続部により、筆記具本体の磁石で構成される装飾品接続部に取り付けられるため、筆記具に取り付けたりまたは筆記具から取り外したりすることが極めて簡単になるばかりでなく、筆記具の装飾品の交換も可能となり、しかも、簡単にできるという優れた効果を奏するものである。
【００１２】
また、装飾品は、筆記具に着脱自在なので、メモクリップとして利用することもできる。更に、装飾品は、簡単に筆記具から取り外せるため、筆記具自体が利用済になったときに、筆記具と共に捨てられることなく、再利用する（例えば、単にメモクリップとして用いる）ことができる。
【考案を実施するための最良の形態】
【００１３】
以下、本考案の好適な実施の形態を添付図面に従って説明する。
【００１４】
図1は、本考案の筆記具用装飾品を示す側面図である。
図1において、本考案に係る筆記具用装飾品（例えばマスコット）１は、装飾品本体部１０と、該本体部１０の底に設けられた筆記具接続部１１とからなる。
【００１５】
装飾品本体部１０は、例えば、樹脂や木材、金属、磁石等で作製されるものである。また、本実施の形態では、装飾品本体部１０の形状は、立方体形状、球状、楕円球状等の幾何学形状、ニーズに応じて、例えば、動物の頭部の形状や、飛行機の形状、車の形状等様々な立体形状にすることができる。
【００１６】
筆記具接続部１１は、磁石で構成されるものである。また、図１では、筆記具接続部１１の形状は、円盤状、リング状、四角形等様々な形状にすることが可能である。また、筆記具接続部１１と装飾品本体部１０は、接着剤により接着して固定することができる。なお、装飾品本体部１０が磁石で構成される場合には、装飾品本体部１０と筆記具接続部１１は一体に構成することができる。
【００１７】
図２は、本考案の筆記具を示す側面図である。
図２において、本考案の筆記具２は、筆記具本体２０に、筆記具本体２０に取り付けられる装飾品２に接続するための装飾品接続部２１を設けたものである。該装飾品接続部２１は磁石で構成されている。また、装飾品接続部２１の形状は、円盤状、リング状、四角形等様々な立体形状になることが可能である。
【００１８】
また、装飾品接続部２１は、例えば、接着剤で筆記具本体２０の上端部に係合又は接着
することにより、筆記具本体２０に取り付けることができる。また、筆記具本体２０は、説明の便宜のため、市販のボールペンとして示したが、既存の万年筆や鉛筆等筆記具であってもよい。
【００１９】
図３は、本考案の装飾品を有する筆記具を示す側面図である。
図３において、本考案の筆記具は、図１に示す筆記具用装飾品１と図２に示す筆記具２とからなるものである。筆記具用装飾品１と筆記具２とは、筆記具接続部１１の磁石と装飾品接続部２１の磁石とが磁気的結合により接続される。
【産業上の利用可能性】
【００２０】
本考案は、装飾品を簡単に着脱可能に取り付けられ、また装飾品のとすることができるので、好みに応じて装飾品を楽しむことができ、筆記具の技術分野において極めて有用である。
【図面の簡単な説明】
【００２１】
【図１】は本考案の筆記具用装飾品の例を示す斜視図である。
【図２】は本考案の筆記具の例を示す側面図である。
【図３】は本考案の装飾品を有する筆記具の例を示す側面図である。
【符号の説明】
【００２２】
１  筆記具用装飾品
２  筆記具
１０  装飾品本体部
１１  筆記具接続部
２０  筆記具本体
２１  装飾品接続部
【図１】
0003139047.tif 000003
【図２】
0003139047.tif 000004
【図３】
0003139047.tif 000005